(57)【要約】【課題】  起動待機時に省電力状態を実現し、赤外線リモートコントローラが発信する起動制御信号を用いた起動制御を行う光伝送システムを提供する。【解決手段】  モニタ機器２０が、赤外線リモートコントローラ４０から発信される起動制御信号を受光し、ＳＩＲＣＳ信号規格からＵＡＲＴ信号規格の起動制御信号に変換して、光伝送ケーブル３０を介して待機状態のソース機器１０へ伝送し、ソース機器１０が、起動制御信号に応じて起動制御情報を読み取り、起動制御情報に応じて待機状態から通常動作状態に移行する制御を行う。【選択図】  図１
2007174239.tif 000002
【特許請求の範囲】
【請求項１】
所定の伝送信号の伝送を行う、光伝送ケーブルを介して接続された第１の信号伝送装置と第２の信号伝送装置からなる光伝送システムにおいて、
上記第１の信号伝送装置は、電気信号形式の上記伝送信号を光信号形式に変換する電気／光信号変換部と、上記第２の信号伝送装置から上記光伝送ケーブルを介して伝送される光信号形式の上記伝送信号を電気信号形式に変換する光／電気信号変換部と、待機状態から通常動作状態に移行する制御を行う起動制御部とを備え、
上記第２の信号伝送装置は、電気信号形式の上記伝送信号を光信号形式に変換する電気／光信号変換部と、上記第１の信号伝送装置から上記光伝送ケーブルを介して伝送される光信号形式の上記伝送信号を電気信号形式に変換する光／電気信号変換部と、待機状態から通常動作状態に移行する制御を行う起動制御部とを備え、
一方の信号伝送装置は、赤外線信号を発信する赤外線リモートコントローラからの発信信号を受光して電気信号形式に変換する赤外線受光部を備え、当該信号伝送装置の起動制御部が、赤外線信号規格の伝送信号を所定の伝送信号規格に変換する赤外線／伝送信号規格変換部を備え、
他方の信号伝送装置の起動制御部が、上記伝送信号から伝送情報を読み取る伝送信号受信部を備え、
一方の信号伝送装置は、上記赤外線リモートコントローラから発信される上記赤外線信号規格であって待機状態から通常動作状態に移行する制御を行う起動制御信号を上記赤外線受光部が受光するとともに電気信号形式に変換して上記起動制御部に送信し、上記起動制御部が上記赤外線受光部から送信される上記赤外線信号規格の起動制御信号に応じて上記電気／光信号変換部を起動し、上記起動制御部の上記赤外線／伝送信号規格変換部が上記赤外線信号規格の起動制御信号を上記伝送信号規格に変換して上記電気／光信号変換部へ送信し、上記電気／光信号変換部が電気信号形式の上記起動制御信号を光信号形式に変換して上記光伝送ケーブルを介して待機状態の他方の信号伝送装置へ伝送し、
上記他方の信号伝送装置は、上記一方の信号伝送装置から上記光伝送ケーブルを介して伝送される光信号形式の上記起動制御信号を上記光／電気信号変換部が電気信号形式に変換して上記起動制御部へ送信し、上記起動制御部の上記伝送信号受信部が上記起動制御信号から起動制御情報を読み取り、上記起動制御部が上記起動制御情報に応じて待機状態から通常動作状態に移行し、
上記一方の信号伝送装置と上記他方の信号伝送装置との間で、上記光伝送ケーブルを介して上記伝送信号の伝送を行うことを特徴とする光伝送システム。
【請求項２】
上記他方の信号伝送装置の起動制御部が、上記伝送信号規格の伝送信号を上記赤外線信号規格に変換する伝送／赤外線信号伝送変換部を備え、
上記他方の信号伝送装置は、上記起動制御部において、伝送／赤外線信号規格変換部が上記伝送信号規格の起動制御信号を上記赤外線信号規格に変換して上記伝送信号受信部へ送信し、上記伝送受信部が上記起動制御信号を上記赤外線信号規格に基づいて起動制御情報を読み取ることを特徴とする請求項１記載の光伝送システム。
【請求項３】
上記伝送信号規格の伝送信号は、上記赤外線信号規格より伝送周波数帯域が低い伝送信号であって、
上記赤外線／伝送信号規格変換部は、上記起動制御情報を記憶する起動制御情報記憶部を備え、
上記信号規格変換部は、上記赤外線信号規格の起動制御信号から起動制御情報を読み取って上記起動制御情報記憶部に記憶し、上記起動制御情報記憶部が記憶した上記起動制御情報を上記伝送信号規格に変換して上記電気／光信号変換部へ送信することを特徴とする請求項２記載の光伝送システム。
【請求項４】
上記伝送信号は映像信号であって、
上記第１の信号伝送装置は、映像信号を送信する映像信号送信部を備え、
上記第２の信号伝送装置は、上記映像信号を受信する映像信号受信部を備え、
上記第１の信号伝送装置は、上記映像信号送信部から上記映像信号を上記電気／光信号変換部へ送信し、上記電気／光信号変換部が上記映像信号を光信号形式に変換して上記光信号ケーブルを介して上記第２の信号伝送装置に伝送し、
上記第２の信号伝送装置は、上記光信号ケーブルを介して伝送された上記映像信号を上記光／電気信号変換部により電気信号形式に変換し、上記映像信号受信部が上記映像信号を受信することを特徴とする請求項３記載の光伝送システム。
【請求項５】
所定の伝送信号を伝送する光伝送システムにおける光伝送ケーブルを介して他の信号伝送装置と接続される信号伝送装置であって、
電気信号形式の上記伝送信号を光信号形式に変換する電気／光信号変換部と、
上記光伝送ケーブルを介して接続された他の信号伝送装置から伝送される光信号形式の上記伝送信号を電気信号形式に変換する光／電気信号変換部と、
待機状態から通常動作状態に移行する制御を行う起動制御部と
赤外線信号を発信する赤外線リモートコントローラの発信信号を受光して電気信号形式に変換する赤外線受光部とを備え、
上記起動制御部が、上記赤外線信号規格の伝送信号を、所定の伝送信号規格の伝送信号に変換する赤外線／伝送信号規格変換部を備え、
上記赤外線受光部が、上記赤外線リモートコントローラから送信される上記赤外線信号規格であって、待機状態から通常動作状態に移行する制御を行う起動制御信号を受光するとともに電気信号形式に変換して上記起動制御部に送信し、
上記起動制御部が、上記赤外線受光部から送信される上記赤外線信号規格の起動制御信号に応じて上記電気／光信号変換部を起動し、
上記起動制御部が、上記赤外線受光部から送信される上記赤外線信号規格の起動制御信号に応じて上記電気／光信号変換部を起動し、
上記起動制御部の上記信号規格変換部が、上記赤外線信号規格の起動制御信号を上記伝送信号規格に変換して上記電気／光信号変換部へ送信し、
上記電気／光信号変換部が、電気信号形式の上記起動制御信号を光信号形式に変換して上記光伝送ケーブルを介して待機状態の他方の信号伝送装置へ伝送し、
上記起動制御信号により、上記他の信号伝送装置を待機状態から通常動作状態に移行し、
上記他の信号伝送装置との間で、上記光伝送ケーブルを介して上記伝送信号の伝送を行うことを特徴とする信号伝送装置。
【請求項６】
上記伝送信号規格の伝送信号は、上記赤外線信号規格より伝送周波数帯域が低い伝送信号であって、
上記信号規格変換部は、上記起動制御情報を記憶する起動制御情報記憶部を備え、
上記信号規格変換部は、上記赤外線信号規格の起動制御信号から起動制御情報を読み取って上記起動制御情報記憶部に記憶し、上記起動制御情報記憶部が記憶した上記起動制御情報を上記伝送信号規格に変換して上記電気／光信号変換部へ送信することを特徴とする請求項５記載の信号伝送装置。
【請求項７】
上記伝送信号は映像信号であって、
電気信号形式の上記映像信号を送信する映像信号送信部をさらに備え、
上記映像信号送信部が電気信号形式の上記映像信号を上記電気／光信号変換部に送信し、
上記電気／光信号変換部が電気信号形式の上記映像信号を光信号形式に変換して、上記光伝送ケーブルを介して上記他の信号伝送装置に伝送することを特徴とする請求項６記載の信号伝送装置。
【請求項８】
上記伝送信号は映像信号であって、
電気信号形式の上記映像信号を受信する映像信号受信部をさらに備え、
上記他の信号伝送装置から上記光伝送ケーブルを介して伝送される光信号形式の上記映像信号を、上記光／電気信号変換部が電気信号形式に変換し、
上記映像信号受信部が電気信号形式の上記映像信号を受信することを特徴とする請求項６記載の信号伝送装置。
【請求項９】
所定の伝送信号を伝送する光伝送システムにおける光伝送ケーブルを介して他の信号伝送装置と接続された信号伝送装置であって、
電気信号形式の上記伝送信号を光信号形式に変換する電気／光信号変換部と、
上記光伝送ケーブルを介して接続された他の信号伝送装置から伝送される光信号形式の上記伝送信号を電気信号形式に変換する光／電気信号変換部と、
待機状態から通常動作状態へ移行する制御を行う起動制御部とを備え、
起動制御部が、所定の伝送信号規格の伝送信号を上記赤外線信号規格に変換する伝送／赤外線信号規格変換部と、伝送信号を赤外線信号規格に基づいて伝送情報を読み取る伝送信号受信部を備え、
上記他の信号伝送装置から上記光伝送ケーブルを介して伝送される、光信号形式の上記伝送信号規格であって、待機状態から通常動作状態に移行する制御を行う起動制御信号を、上記光／電気信号変換部が電気信号形式に変換して上記起動制御部へ送信し、
上記起動制御部の上記伝送／赤外線信号規格変換部が、上記伝送信号規格の起動制御信号を上記赤外線信号規格に変換し、
上記起動制御部の上記伝送信号受信部が、上記起動制御信号を上記赤外線信号規格に基づいて起動制御情報を読み取り、
上記起動制御部が上記起動制御情報に応じて待機状態から通常動作状態に移行し、
上記他の信号伝送装置との間で、上記光伝送ケーブルを介して上記伝送信号の伝送を行うことを特徴とする信号伝送装置。
【請求項１０】
上記伝送信号規格の伝送信号は、上記赤外線信号規格より伝送周波数帯域が低い伝送信号であることを特徴とする請求項９記載の光伝送方法。
【請求項１１】
上記伝送信号は映像信号であって、
電気信号形式の上記映像信号を送信する映像信号送信部をさらに備え、
上記映像信号送信部により電気信号形式の上記映像信号を上記電気／光信号変換部に送信し、
上記電気／光信号変換部により電気信号形式の上記映像信号を光信号形式に変換して上記光伝送ケーブルを介して上記他の信号伝送装置に伝送することを特徴とする請求項１０記載の信号伝送装置。
【請求項１２】
上記伝送信号は映像信号であって、
電気信号形式の上記映像信号を受信する映像信号受信部をさらに備え、
上記他の信号伝送装置から上記光伝送ケーブルを介して伝送された光信号形式の上記映像信号を上記光／電気信号変換部により電気信号形式に変換し、
上記映像信号受信部が電気信号形式の上記映像信号を受信することを特徴とする請求項１０記載の信号伝送装置。
【請求項１３】
所定の伝送信号の伝送を行う光伝送ケーブルを介して接続された第１の信号伝送装置と第２の信号伝送装置からなる光伝送システムにおける光伝送方法であって、
一方の信号伝送装置は、赤外線リモートコントローラから送信される赤外線信号規格であって待機状態から通常動作状態に移行する制御を行う起動制御信号を受光して電気信号形式に変換し、上記赤外線信号規格の上記起動制御信号に応じて待機状態から通常動作状態に移行し、上記赤外線信号規格の起動制御信号を所定の伝送信号規格に変換し、電気信号形式の上記起動制御信号を光信号形式に変換して上記光伝送ケーブルを介して待機状態の他方の信号伝送装置へ伝送し、
上記他方の信号伝送装置は、上記一方の信号伝送装置から上記光伝送ケーブルを介して伝送される光信号形式の上記起動制御信号を電気信号形式に変換し、電気信号形式の上記起動制御信号から起動制御情報を読み取り、上記起動制御情報に応じて待機状態から通常動作状態に移行し、
上記一方の信号伝送装置と上記他の信号伝送装置との間で、上記光伝送ケーブルを介して上記伝送信号の伝送を行うことを特徴とする光伝送方法。
【請求項１４】
上記他方の信号伝送装置は、電気信号形式に変換した上記起動制御信号を上記伝送信号規格から上記赤外線信号規格に変換し、上記起動制御信号を上記赤外線信号規格に基づいて起動制御情報を読み取ることを特徴とする請求項１３記載の光伝送方法。
【請求項１５】
上記伝送信号規格の伝送信号は、上記赤外線信号規格より伝送周波数帯域が低い伝送信号であることを特徴とする請求項１４記載の光伝送方法。
【請求項１６】
上記伝送信号は映像信号であって、
上記第１の信号伝送装置は、電気信号形式の上記映像信号を出力し、出力した電気信号形式の上記映像信号を光信号形式に変換して上記光信号ケーブルを介して上記第２の信号伝送装置に伝送し、
上記第２の信号伝送装置は、上記光信号ケーブルを介して伝送された光信号形式の上記映像信号を電気信号形式に変換し、電気信号形式の上記映像信号を受信することを特徴とする請求項１５記載の光伝送方法。
【請求項１７】
所定の伝送信号を伝送する光伝送システムにおける光伝送ケーブルを介して他の信号伝送装置と接続された信号伝送装置の制御方法であって、
赤外線リモートコントローラから送信される赤外線信号形式の赤外線信号規格であって、待機状態から通常動作状態に移行する制御を行う起動制御信号を受光して電気信号形式に変換し、
上記赤外線信号規格の上記起動制御信号に応じて待機状態から通常動作状態に移行し、
上記赤外線信号規格の起動制御信号を伝送信号規格に変換し、
電気信号形式の上記起動制御信号を光信号形式に変換して上記光伝送ケーブルを介して待機状態の他方の信号伝送装置へ伝送し、
上記起動制御信号により、上記他の信号伝送装置を待機状態から通常動作状態に移行し、
通常動作状態に移行した上記他の信号伝送装置との間で、上記光伝送ケーブルを介して、上記伝送信号の伝送を行うことを特徴とする信号伝送装置の制御方法。
【請求項１８】
上記伝送信号規格の伝送信号は、上記赤外線信号規格より伝送周波数帯域が低い伝送信号であることを特徴とする請求項１７記載の信号伝送装置の制御方法。
【請求項１９】
上記伝送信号は映像信号であって、
電気信号形式の上記映像信号を出力し、
出力した電気信号形式の上記映像信号を光信号形式に変換し、
変換した光信号形式を上記光伝送ケーブルを介して上記他の信号伝送装置に伝送し、
上記他の信号伝送装置は、上記光伝送ケーブルを介して伝送される光信号形式の上記映像信号を電気信号形式に変換して、電気信号形式の上記映像信号を受信することを特徴とする請求項１８記載の信号伝送装置の制御方法。
【請求項２０】
上記伝送信号は映像信号であって、
上記他の信号伝送装置から上記光伝送ケーブルを介して伝送された光信号形式の上記映像信号を電気信号形式に変換し、
電気信号形式の上記映像信号を受信することを特徴とする請求項１８記載の信号伝送装置の制御方法。
【請求項２１】
所定の伝送信号を伝送する光伝送システムにおける光伝送ケーブルを介して他の信号伝送装置と接続された信号伝送装置の制御方法であって、
上記他の信号伝送装置から上記光伝送ケーブルを介して伝送される所定の伝送信号規格であって、待機状態から通常動作状態に移行する制御を行う光信号形式の起動制御信号を電気信号形式に変換し、
電気信号形式の上記起動制御信号を上記伝送信号規格から上記赤外線信号規格に変換し、上記起動制御信号を上記赤外線信号規格に基づいて起動制御情報を読み取り、
上記起動制御部が上記起動制御情報に応じて待機状態から通常動作状態に移行し、
通常動作状態に移行した上記他の信号伝送装置との間で、上記光伝送ケーブルを介して上記伝送信号の伝送を行うことを特徴とする信号伝送装置の制御方法。
【請求項２２】
上記伝送信号規格の伝送信号は、上記赤外線信号規格より伝送周波数帯域が低い伝送信号であることを特徴とする請求項２１記載の信号伝送装置の制御方法。
【請求項２３】
上記伝送信号は映像信号であって、
電気信号形式の上記映像信号を送信し、
電気信号形式の上記映像信号を光信号形式に変換して上記光伝送ケーブルを介して上記他の信号伝送装置に伝送することを特徴とする請求項２２記載の信号伝送装置の制御方法。
【請求項２４】
上記伝送信号は映像信号であって、
上記他の信号伝送装置から上記光伝送ケーブルを介して伝送された光信号形式の上記映像信号を電気信号形式に変換し、
電気信号形式の上記映像信号を受信することを特徴とする請求項２２記載の信号伝送装置の制御方法。
【請求項２５】
所定の伝送信号を伝送する光伝送システムにおける光伝送ケーブルを介して他の信号伝送装置と接続された信号伝送装置に搭載されるコンピュータにより実行される制御プログラムであって、
赤外線リモートコントローラから送信される赤外線信号規格であって、待機状態から通常動作状態に移行する制御を行う起動制御信号を受光して電気信号形式に変換し、
上記赤外線信号規格の上記起動制御信号に応じて待機状態から通常動作状態に移行し、
上記赤外線信号規格の起動制御信号を所定の伝送信号規格に変換し、
電気信号形式の上記起動制御信号を光信号形式に変換して上記光伝送ケーブルを介して待機状態の他方の信号伝送装置へ伝送し、
上記起動制御信号により、上記他の信号伝送装置を待機状態から通常動作状態に移行し、
通常動作状態に移行した上記他の信号伝送装置との間で、上記光伝送ケーブルを介して、上記伝送信号を伝送する制御を行うことを特徴とする制御プログラム。
【請求項２６】
上記伝送信号規格の伝送信号は、上記赤外線信号規格より伝送周波数帯域が低い伝送信号であることを特徴とする請求項２５記載の制御プログラム。
【請求項２７】
上記伝送信号は映像信号であって、
電気信号形式の上記映像信号を出力し、
出力した電気信号形式の上記映像信号を光信号形式に変換し、
変換した光信号形式を上記光伝送ケーブルを介して上記他の信号伝送装置に伝送し、
上記他の信号伝送装置は、上記光伝送ケーブルを介して伝送される光信号形式の上記映像信号を電気信号形式に変換して、電気信号形式の上記映像信号を受信する制御を行うことを特徴とする請求項２６記載の制御プログラム。
【請求項２８】
上記伝送信号は映像信号であって、
上記他の信号伝送装置から上記光伝送ケーブルを介して伝送された光信号形式の上記映像信号を電気信号形式に変換し、
電気信号形式の上記映像信号を受信する制御を行うことを特徴とする請求項２６記載の制御プログラム。
【請求項２９】
所定の伝送信号を伝送する光伝送システムにおける光伝送ケーブルを介して他の信号伝送装置と接続された信号伝送装置の制御方法であって、
上記他の信号伝送装置から上記光伝送ケーブルを介して伝送される、所定の伝送信号規格の伝送信号であって、待機状態から通常動作状態に移行する制御を行う光信号形式の起動制御信号を電気信号形式に変換し、
電気信号形式の上記起動制御信号を上記伝送信号規格から上記赤外線信号規格に変換し、上記起動制御信号を上記赤外線信号規格に基づいて起動制御情報を読み取り、
上記起動制御部が上記起動制御情報に応じて待機状態から通常動作状態に移行し、
通常動作状態に移行した上記他の信号伝送装置との間で、上記光伝送ケーブルを介して上記伝送信号を伝送する制御を行うことを特徴とする制御プログラム。
【請求項３０】
上記伝送信号規格の伝送信号は、上記赤外線信号規格より伝送周波数帯域が低い伝送信号であることを特徴とする請求項２９記載の制御プログラム。
【請求項３１】
上記伝送信号は映像信号であって、
電気信号形式の上記映像信号を送信し、
電気信号形式の上記映像信号を光信号形式に変換して上記光伝送ケーブルを介して上記他の信号伝送装置に伝送する制御を行うことを特徴とする請求項３０記載の制御プログラム。
【請求項３２】
上記伝送信号は映像信号であって、
上記他の信号伝送装置から上記光伝送ケーブルを介して伝送された光信号形式の上記映像信号を電気信号形式に変換し、
電気信号形式の上記映像信号を受信する制御を行うことを特徴とする請求項３０記載の制御プログラム。
【発明の詳細な説明】
【技術分野】
【０００１】
本発明は、起動待機状態において省電力を実現するとともに、その起動制御を行う光伝送システム、信号伝送装置、光伝送方法、光伝送制御方法、制御プログラムに関する。
【背景技術】
【０００２】
ＴＶチューナやハードディスクレコーダ等の映像信号を出力する映像信号出力装置と、ＣＲＴやＬＣＤ等の映像信号を受信して表示する映像信号入力装置との間で、ディジタル映像信号を伝送する伝送規格として、ＤＶＩ（Ｄｉｇｉｔａｌ  Ｖｉｓｕａｌ  Ｉｎｔｅｒｆａｃｅ）や、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がある。
【０００３】
ここで、電気信号伝送システム２００は、図１７に示すように、映像信号を出力するソース機器２０１と、映像信号を入力して表示するモニタ機器２０２と、ソース機器２０１とモニタ機器２０２とを所定のインターフェースを介して接続する電気信号ケーブル２０３により構成される。ソース機器２０１とモニタ機器２０２は、それぞれ映像信号の入出力を行うＲＧＢＩ／Ｆ２０１ａ、２０２ａを備えている。また、ソース機器２０１とモニタ機器２０２は、互いの機器間での動作命令を送受信する制御信号の入出力を行う制御信号Ｉ／Ｆ２０１ｂ、２０２ｂを備えている。電気信号ケーブル２０３は、映像信号と制御信号との複数の信号を伝達するため、ケーブル内に複数の電気信号線を必要とする。つまり、電気信号ケーブル２０３は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる１チャンネルに対して２本の信号線を用いた差動の電気信号からなる映像信号であって、ＲＧＢの３チャンネルのＲＧＢ信号と、ＲＧＢ信号を同期させる同期信号との合計４つの信号を伝送する４本の信号線によって構成される。
【０００４】
このような電気信号伝送システム２００において、例えばＦｕｌｌ  ＨＤと呼ばれる規格のディジタル映像信号を伝送する場合には、当該映像信号のピクセルレートが１４８．５Ｍｂｐｓであって、ＴＭＤＳ伝送規格で伝送した場合、１チャンネルあたりの伝送帯域が、１．４８５Ｇｂｐｓになる。このように、高ビットレートの映像信号をＴＭＤＳのような伝送規格で伝送する場合において、電気ケーブルを介して単に電気信号形式で伝送した場合には、数メートル程度が伝送距離の限界となってしまう。
【０００５】
そこで、長距離信号伝送を可能にするため、高周波帯域の信号の伝送減衰率が、電気信号に比べて非常に小さい光ファイバ等による光伝送が用いられている。映像信号を光伝送する伝送システムとしては、特許文献１に示されているように、映像信号を構成するＲＧＢ信号と同期信号とをそれぞれ光信号に変換するものや、特許文献２に示されているように、１つの光信号線に異なる波長領域毎に分割して、分割した波長領域毎にＲＧＢ信号と同期信号を割り当てて伝送するものがある。しかし、特許文献１に示されているような、ＲＧＢ信号と同期信号をそれぞれ光信号に変換する場合には、電気信号形式を光信号形式に変換する電気／光信号変換部、及び光信号形式を電気信号形式に変換する光／電気信号変換部が複数必要である。
【０００６】
また、特許文献２に示されているような、ＲＧＢ信号と同期信号をそれぞれ光信号において分割した波長帯域に割り当てて伝送する、いわゆるＷＤＭ（Ｗａｖｅｌｅｎｇｔｈ  Ｄｉｂｉｓｉｏｎ  Ｍｕｌｔｉｐｌｅｘｉｎｇ）伝送の場合には、複数の波長領域に応じて、光信号を多重する変換部、及び、光信号を分離する変換部が必要であり、さらに分離された光信号を電気信号に変換する光／電気信号変換部が複数必要であるため、回路規模が拡大且つ複雑になり、それに伴って消費電力が増大する。
【０００７】
ところで、映像信号出力装置と映像信号入力装置とを、電気ケーブルを介して接続された電気信号の伝送システムにおいて、映像信号出力装置からの起動命令により待機状態の映像信号入力装置を起動させる場合には、映像信号出力装置から所定の起動制御信号が、電気ケーブルを介して映像信号入力装置へ伝送される。
【０００８】
これに対して、光信号により映像信号を伝送する光伝送システムにおいて、映像信号出力装置が待機状態の映像信号入力装置を起動させる場合、映像信号出力装置は、電気信号を光信号に変換する電気／光信号変換部とその周辺の回路に、常に電力が供給されている必要があるため、待機状態においてもこのような変換部の消費電力が大きく、省電力を実現することができなかった。一方、映像信号入力装置は、省電力化のために光信号を電気信号へ変換する光／電気信号変換部に電力が供給されなかった場合には、映像信号出力装置から伝送される光信号形式の起動制御信号を受信することができず、起動することができなかった。
【０００９】
したがって、光伝送システムを、省電力化された待機状態から通常動作状態へ移行するには、映像信号出力装置が、消費電力を低下した状態で電気信号形式の起動制御信号を光信号形式に変換して伝送し、また、映像信号入力装置が、消費電力を低下した状態で光信号形式の起動制御信号を電気信号形式に変換して受信する必要がある。ここで、周波数成分をできるだけ低い起動制御信号を用いることにより、これらの信号変換部において低消費電力化を図ることができる。しかしながら、ユーザインターフェースとして一般的に用いられる赤外線リモートコントローラを用いて、待機状態の装置に対してユーザが起動命令を入力した場合には、当該赤外線リモコンの信号の周波数帯域が高いため、装置側が受信した信号をそのまま電気／光信号変換部を介して光伝送すると、映像信号出力装置の電気／光信号変換部、及び、映像信号入力装置の光／電気信号変換部の消費電力を抑えることができず省電力状態を実現することができなかった。
【００１０】
【特許文献１】特開２００２−３６６３４０号公報
【特許文献２】特開２００３−２７３８３４号公報
【発明の開示】
【発明が解決しようとする課題】
【００１１】
本発明は、このような従来の実情に鑑みて提案されたものであり、電気信号を光信号に変換して伝送する光伝送システムであって、待機状態に省電力状態を実現するとともに、赤外線リモートコントローラが発信する起動制御信号を用いても、起動待機状態の信号伝送装置において起動制御を行う光伝送システム、信号伝送装置、光伝送方法、信号伝送装置の制御方法、制御プログラムを提供することを目的とする。
【課題を解決するための手段】
【００１２】
上述した目的を達成するために、本発明に係る光伝送システムは、所定の伝送信号の伝送を行う、光伝送ケーブルを介して接続された第１の信号伝送装置と第２の信号伝送装置からなる光伝送システムであって、上記第１の信号伝送装置は、電気信号形式の上記伝送信号を光信号形式に変換する電気／光信号変換部と、上記第２の信号伝送装置から上記光伝送ケーブルを介して伝送される光信号形式の上記伝送信号を電気信号形式に変換する光／電気信号変換部と、待機状態から通常動作状態に移行する制御を行う起動制御部とを備え、上記第２の信号伝送装置は、電気信号形式の上記伝送信号を光信号形式に変換する電気／光信号変換部と、上記第１の信号伝送装置から伝送される光信号形式の上記伝送信号を電気信号形式に変換する光／電気信号変換部と、待機状態から通常動作状態に移行する制御を行う起動制御部とを備え、一方の信号伝送装置は、赤外線信号を発信する赤外線リモートコントローラからの発信信号を受光して電気信号形式に変換する赤外線受光部を備え、当該信号伝送装置の起動制御部が、赤外線信号規格の伝送信号を所定の伝送信号規格に変換する赤外線／伝送信号規格変換部を備え、他方の信号伝送装置の起動制御部が、上記伝送信号から伝送情報を読み取る伝送信号受信部を備え、一方の信号伝送装置は、上記赤外線リモートコントローラから発信される上記赤外線信号規格であって待機状態から通常動作状態に移行する制御を行う起動制御信号を上記赤外線受光部が受光するとともに電気信号形式に変換して上記起動制御部に送信し、上記起動制御部が上記赤外線受光部から送信される上記赤外線信号規格の起動制御信号に応じて上記電気／光信号変換部を起動し、上記起動制御部の上記赤外線／伝送信号規格変換部が上記赤外線信号規格の起動制御信号を上記伝送信号規格に変換して上記電気／光信号変換部へ送信し、上記電気／光信号変換部が電気信号形式の上記起動制御信号を光信号形式に変換して上記光伝送ケーブルを介して待機状態の他方の信号伝送装置へ伝送し、上記他方の信号伝送装置は、上記一方の信号伝送装置から上記光伝送ケーブルを介して伝送される光信号形式の上記起動制御信号を上記光／電気信号変換部が電気信号形式に変換して上記起動制御部へ送信し、上記起動制御部の上記伝送信号受信部が上記起動制御信号から起動制御情報を読み取り、上記起動制御部が上記起動制御情報に応じて待機状態から通常動作状態に移行し、上記一方の信号伝送装置と上記他方の信号伝送装置との間で、上記光伝送ケーブルを介して上記伝送信号の伝送を行うことを特徴とする。
【００１３】
また、本発明に係る信号伝送装置は、所定の伝送信号を伝送する光伝送システムにおける光伝送ケーブルを介して他の信号伝送装置と接続される信号伝送装置であって、電気信号形式の上記伝送信号を光信号形式に変換する電気／光信号変換部と、上記光伝送ケーブルを介して接続された他の信号伝送装置から伝送される光信号形式の上記伝送信号を電気信号形式に変換する光／電気信号変換部と、待機状態から通常動作状態に移行する制御を行う起動制御部と赤外線信号を発信する赤外線リモートコントローラの発信信号を受光して電気信号形式に変換する赤外線受光部とを備え、上記起動制御部が、上記赤外線信号規格の伝送信号を、所定の伝送信号規格の伝送信号に変換する赤外線／伝送信号規格変換部を備え、上記赤外線受光部が、上記赤外線リモートコントローラから送信される上記赤外線信号規格であって、待機状態から通常動作状態に移行する制御を行う起動制御信号を受光するとともに電気信号形式に変換して上記起動制御部に送信し、上記起動制御部が、上記赤外線受光部から送信される上記赤外線信号規格の起動制御信号に応じて上記電気／光信号変換部を起動し、上記起動制御部が、上記赤外線受光部から送信される上記赤外線信号規格の起動制御信号に応じて上記電気／光信号変換部を起動し、上記起動制御部の上記信号規格変換部が、上記赤外線信号規格の起動制御信号を上記伝送信号規格に変換して上記電気／光信号変換部へ送信し、上記電気／光信号変換部が、電気信号形式の上記起動制御信号を光信号形式に変換して上記光伝送ケーブルを介して待機状態の他方の信号伝送装置へ伝送し、上記起動制御信号により、上記他の信号伝送装置を待機状態から通常動作状態に移行し、上記他の信号伝送装置との間で、上記光伝送ケーブルを介して上記伝送信号の伝送を行うことを特徴とする。
【００１４】
また、本発明に係る信号伝送装置は、所定の伝送信号を伝送する光伝送システムにおける光伝送ケーブルを介して他の信号伝送装置と接続された信号伝送装置であって、電気信号形式の上記伝送信号を光信号形式に変換する電気／光信号変換部と、上記光伝送ケーブルを介して接続された他の信号伝送装置から伝送される光信号形式の上記伝送信号を電気信号形式に変換する光／電気信号変換部と、待機状態から通常動作状態へ移行する制御を行う起動制御部とを備え、起動制御部が、所定の伝送信号規格の伝送信号を上記赤外線信号規格に変換する伝送／赤外線信号規格変換部と、伝送信号を赤外線信号規格に基づいて伝送情報を読み取る伝送信号受信部を備え、上記他の信号伝送装置から上記光伝送ケーブルを介して伝送される、光信号形式の上記伝送信号規格であって、待機状態から通常動作状態に移行する制御を行う起動制御信号を、上記光／電気信号変換部が電気信号形式に変換して上記起動制御部へ送信し、上記起動制御部の上記伝送／赤外線信号規格変換部が、上記伝送信号規格の起動制御信号を上記赤外線信号規格に変換し、上記起動制御部の上記伝送信号受信部が、上記起動制御信号を上記赤外線信号規格に基づいて起動制御情報を読み取り、上記起動制御部が上記起動制御情報に応じて待機状態から通常動作状態に移行し、上記他の信号伝送装置との間で、上記光伝送ケーブルを介して上記伝送信号の伝送を行うことを特徴とする。
【００１５】
また、本発明に係る光伝送方法は、所定の伝送信号の伝送を行う、光伝送ケーブルを介して接続された第１の信号伝送装置と第２の信号伝送装置からなる光伝送システムにおける光伝送方法であって、一方の信号伝送装置は、赤外線リモートコントローラから送信される赤外線信号規格であって待機状態から通常動作状態に移行する制御を行う起動制御信号を受光して電気信号形式に変換し、上記赤外線信号規格の上記起動制御信号に応じて待機状態から通常動作状態に移行し、上記赤外線信号規格の起動制御信号を所定の伝送信号規格に変換し、電気信号形式の上記起動制御信号を光信号形式に変換して上記光伝送ケーブルを介して待機状態の他方の信号伝送装置へ伝送し、上記他方の信号伝送装置は、上記一方の信号伝送装置から上記光伝送ケーブルを介して伝送される光信号形式の上記起動制御信号を電気信号形式に変換し、電気信号形式の上記起動制御信号から起動制御情報を読み取り、上記起動制御情報に応じて待機状態から通常動作状態に移行し、上記一方の信号伝送装置と上記他の信号伝送装置との間で、上記光伝送ケーブルを介して上記伝送信号の伝送を行うことを特徴とする。
【００１６】
また、本発明に係る信号伝送装置の制御方法は、所定の伝送信号を伝送する光伝送システムにおける光伝送ケーブルを介して他の信号伝送装置と接続された信号伝送装置の制御方法であって、赤外線リモートコントローラから送信される赤外線信号形式の赤外線信号規格であって、待機状態から通常動作状態に移行する制御を行う起動制御信号を受光して電気信号形式に変換し、上記赤外線信号規格の上記起動制御信号に応じて待機状態から通常動作状態に移行し、上記赤外線信号規格の起動制御信号を伝送信号規格に変換し、電気信号形式の上記起動制御信号を光信号形式に変換して上記光伝送ケーブルを介して待機状態の他方の信号伝送装置へ伝送し、上記起動制御信号により、上記他の信号伝送装置を待機状態から通常動作状態に移行し、通常動作状態に移行した上記他の信号伝送装置との間で、上記光伝送ケーブルを介して、上記伝送信号の伝送を行うことを特徴とする。
【００１７】
また、本発明に係る信号伝送装置の制御方法は、所定の伝送信号を伝送する光伝送システムにおける光伝送ケーブルを介して他の信号伝送装置と接続された信号伝送装置の制御方法であって、上記他の信号伝送装置から上記光伝送ケーブルを介して伝送される所定の伝送信号規格であって、待機状態から通常動作状態に移行する制御を行う光信号形式の起動制御信号を電気信号形式に変換し、電気信号形式の上記起動制御信号を上記伝送信号規格から上記赤外線信号規格に変換し、上記起動制御信号を上記赤外線信号規格に基づいて起動制御情報を読み取り、上記起動制御部が上記起動制御情報に応じて待機状態から通常動作状態に移行し、通常動作状態に移行した上記他の信号伝送装置との間で、上記光伝送ケーブルを介して上記伝送信号の伝送を行うことを特徴とする。
【００１８】
また、本発明に係る制御プログラムは、所定の伝送信号を伝送する光伝送システムにおける光伝送ケーブルを介して他の信号伝送装置と接続された信号伝送装置に搭載されるコンピュータにより実行される制御プログラムであって、赤外線リモートコントローラから送信される赤外線信号規格であって、待機状態から通常動作状態に移行する制御を行う起動制御信号を受光して電気信号形式に変換し、上記赤外線信号規格の上記起動制御信号に応じて待機状態から通常動作状態に移行し、上記赤外線信号規格の起動制御信号を所定の伝送信号規格に変換し、電気信号形式の上記起動制御信号を光信号形式に変換して上記光伝送ケーブルを介して待機状態の他方の信号伝送装置へ伝送し、上記起動制御信号により、上記他の信号伝送装置を待機状態から通常動作状態に移行し、通常動作状態に移行した上記他の信号伝送装置との間で、上記光伝送ケーブルを介して、上記伝送信号を伝送する制御を行うことを特徴とする。
【００１９】
また、本発明に係る制御プログラムは、所定の伝送信号を伝送する光伝送システムにおける光伝送ケーブルを介して他の信号伝送装置と接続された信号伝送装置の制御方法であって、上記他の信号伝送装置から上記光伝送ケーブルを介して伝送される、所定の伝送信号規格の伝送信号であって、待機状態から通常動作状態に移行する制御を行う光信号形式の起動制御信号を電気信号形式に変換し、電気信号形式の上記起動制御信号を上記伝送信号規格から上記赤外線信号規格に変換し、上記起動制御信号を上記赤外線信号規格に基づいて起動制御情報を読み取り、上記起動制御部が上記起動制御情報に応じて待機状態から通常動作状態に移行し、通常動作状態に移行した上記他の信号伝送装置との間で、上記光伝送ケーブルを介して上記伝送信号を伝送する制御を行うことを特徴とする。
【発明の効果】
【００２０】
本発明は、一方の信号伝送装置が、赤外線リモートコントローラから発信される赤外線信号形式で赤外線信号規格の起動制御信号を受光するとともに、光信号形式で所定の伝送信号規格に変換して、上記光伝送ケーブルを介して待機状態の他方の信号伝送装置へ伝送し、他方の信号伝送装置が、上記一方の信号伝送装置から上記光伝送ケーブルを介して伝送される光信号形式の上記起動制御信号を電気信号形式に変換して上記伝送規格に基づいて起動制御情報を読み取り、当該起動制御情報に応じて待機状態から通常動作状態に移行する制御を行う。
【００２１】
このことにより、本発明は、起動待機状態において、電気信号を光信号に変換する電気／光信号処理と、光信号を電気信号に変換する光／電気信号処理に消費される電力を低減して、起動待機時に省電力を実現するとともに、当該起動待機時において赤外線リモートコントローラが発信する起動制御信号に応じて当該光伝送システムの起動制御を行うことができる。
【発明を実施するための最良の形態】
【００２２】
以下、本発明を適用した具体的な実施の形態について、図面を参照しながら詳細に説明する。本実施の形態は、映像信号の伝送を行う光伝送システム１に適用したものである。
【００２３】
光伝送システム１は、図１に示すように、映像信号を出力するソース機器１０と、ソース機器１０から出力される映像信号を表示するモニタ機器２０と、ソース機器１０とモニタ機器２０とを接続して光信号形式で映像信号等の伝送信号の伝送を行う光信号ケーブル３０と、赤外線信号を用いてモニタ機器２０に対して遠隔制御命令を送信する赤外線リモートコントローラ４０とからなる。
【００２４】
ソース機器１０は、図１に示すように、映像記録媒体からの映像データの読み取りなどを行うソース本体部１１と、ソース本体部１１が生成した映像信号を外部へ出力する映像信号Ｉ／Ｆ部１２と、光信号ケーブル３０を介して接続されたモニタ機器２０との間で通信を行う制御信号の出力を行う制御信号Ｉ／Ｆ部１３と、映像信号と制御信号とを同一の光信号で伝送するための信号処理を施すソース伝送処理部１４とから構成される。
【００２５】
ソース本体部１１は、映像記録媒体からの映像データの読み出し、又は放送映像信号の受信などを行って映像信号を生成する。ここで、映像信号は、具体的に３原色信号からなるＲＧＢ信号と当該ＲＧＢ信号を同期させるためのクロック信号とから構成され、映像信号Ｉ／Ｆ部１２から外部へ出力される。また、ソース本体部１１は、図１に示すように、赤外線リモートコントローラ４０の送信信号規格であるＳＩＲＣＳ信号を変換して制御情報の読み取りを行う赤外線信号デコーダ１１ａをさらに備える。赤外線信号デコーダ１１ａは、制御信号Ｉ／Ｆ部１３を介してモニタ機器２０から送信されるＳＩＲＣＳ信号規格の制御信号から制御データの読み取りを行う。
【００２６】
制御信号Ｉ／Ｆ部１３は、光信号ケーブル３０を介して接続されたモニタ機器２０との間で通信を行う制御信号を所定の伝送規格に変換する。ここで、制御信号とは、接続されたモニタ機器２０との間で送受信される命令信号である。
【００２７】
モニタ機器２０は、図１に示すように、ソース機器１０から送信される映像信号を表示するモニタ本体部２１と、映像信号をモニタ本体部２１へ入力させる映像信号Ｉ／Ｆ部２２と、光信号ケーブル３０を介して接続されたソース機器１０との間で通信を行う制御信号を出力する制御信号Ｉ／Ｆ部２３と、映像信号と制御信号とを同一の光信号で伝送するための信号処理を施すモニタ伝送処理部２４とから構成される。
【００２８】
モニタ本体部２１は、ソース機器１０から送信される映像信号を表示する。ここで、映像信号は、具体的に３原色信号からなるＲＧＢ信号と当該ＲＧＢ信号が同期するためのクロック信号とから構成され、映像信号Ｉ／Ｆ部２２から入力される。また、モニタ本体部２１は、図１に示すように、赤外線リモートコントローラ４０から送信される赤外線信号を受光して電気信号形式に変換する受光モジュール２１ａを備える。
【００２９】
制御信号Ｉ／Ｆ部２３は、光信号ケーブル３０を介して接続されたソース機器１０との間で通信を行う制御信号を所定の伝送規格に変換する。ここで、制御信号とは、接続されたソース機器１０との間で送受信される命令信号である。
【００３０】
光信号ケーブル３０は、ソース機器１０からモニタ機器２０へ映像信号及び制御信号を送信する信号線と、モニタ機器２０からソース機器１０へ制御信号を送信する信号線との、合計２つの光ファイバーから構成されている。ここで、各信号線は、シリアル信号を伝送するものとする。
【００３１】
赤外線リモートコントローラ４０は、所定の制御命令に応じて、図２に示すように、Ｌｏｗ／Ｈｉｇｈ信号の時間間隔の違いで０と１の信号を表現するＳＩＲＣＳ（Ｓｅｒｉａｌ  Ｉｎｆｒａｒｅｄ  Ｒｅｍｏｔｅ  Ｃｏｎｔｒｏｌ  Ｓｙｓｔｅｍ）信号規格の制御信号を送信する。
【００３２】
次に、図３を参照して、ソース機器１０のソース伝送処理部１４の構成について詳細に説明する。ソース伝送処理部１４は、図３に示すように、映像信号と制御信号とをそれぞれ多重又は分離処理をして光伝送に適した電気信号に変換する電気信号処理部１４１と、電気信号処理部１４１が変換した電気信号を光信号に変換するＥ／Ｏ変換部１４２と、光信号ケーブル３０を介してモニタ機器２０から送信される光信号を電気信号に変換するＯ／Ｅ変換部１４３と、モニタ機器２０との間で、待機状態から通常動作状態へ移行する制御を行う起動制御部１４４とから構成される。
【００３３】
電気信号処理部１４１は、映像信号と制御信号とをそれぞれ多重処理、又は分離処理を行い、図３に示すように、ＲＧＢＩ／Ｆデバイス部１４１ａと、ロジック部１４１ｂと、ＳＥＲＤＥＳ変換部１４１ｃとから構成されている。
【００３４】
ＲＧＢＩ／Ｆデバイス部１４１ａは、映像信号Ｉ／Ｆ部１２が出力した所定のディジタル映像信号伝送規格に基づいた映像信号から、他の装置へ伝送するために映像信号とクロックを取り出す。具体的なディジタル映像信号伝送規格としては、ＤＶＩ（Ｄｉｇｉｔａｌ  Ｖｉｓｕａｌ  Ｉｎｔｅｒｆａｃｅ）や、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がある。
【００３５】
ロジック部１４１ｂは、ＲＧＢＩ／Ｆデバイス部１４１ａにより取り出した映像信号とクロック、及び、制御信号Ｉ／Ｆ部１３から出力された制御信号をそれぞれ時分割して、１つの信号に多重化する。また、光信号ケーブル３０を介してモニタ機器２０から送られてきた光信号であって、Ｏ／Ｅ変換部１４３によって電気信号に変換された制御信号は、ロジック部１４１ｂに提供される。ここで、ロジック部１４１ｂに入力された制御信号は、１つの信号に多重化されているので、ロジック部１４１ｂにより分離処理が施され所定のディジタル信号伝送規格に変換される。
【００３６】
ＳＥＲＤＥＳ変換部１４１ｃは、ロジック部１４１ｂにより多重化された信号を光伝送に適した符号変換を施してシリアル信号に変換する。ここで、光信号ケーブル３０は、送信用、受信用の２本の光信号線から構成されている。また、それぞれの光信号線の伝送形式は、シリアル伝送形式である。したがって、ＳＥＲＤＥＳ変換部１４１ｃは、ロジック部１４１ｂにより多重化された信号をシリアル伝送形式で伝送される光信号に適したシリアル信号形式の電気信号に変換する。
【００３７】
Ｅ／Ｏ変換部１４２は、電気信号処理部１４１において多重化かつシリアル化された電気信号を光信号に変換する。また、Ｅ／Ｏ変換部１４２は、伝送する情報量に応じて、光信号の伝送周波数帯域を変更する。ここで、Ｅ／Ｏ変換部１４２は、低周波帯域で伝送することにより、消費電力を小さくすることができる。具体的に、Ｅ／Ｏ変換部１４２は、映像信号等の情報量が大きい信号を伝送する通常変換モードと、映像信号と比べて小さい情報量に応じた信号を伝送する省電力変換モードとの少なくとも２つのモードを有しており、起動制御部１４４からの制御命令に応じて、これら２つのモードを切り換えて電気信号を光信号に変換する。
【００３８】
Ｏ／Ｅ変換部１４３は、光ケーブル３０を介してモニタ機器２０から送信される光信号を検出して電気信号に変換する。また、Ｏ／Ｅ変換部１４３は、光信号ケーブル３０から伝送される情報量に応じて、光信号を検出する周波数帯域を変更する。ここで、Ｏ／Ｅ変換部１４３は、検出周波数帯域を低くすることにより、消費電力を小さくすることができる。具体的に、Ｏ／Ｅ変換部１４３は、映像信号等の情報量が大きい信号を検出する通常変換モードと、映像信号と比べて小さい情報量の信号を検出する省電力変換モードとの少なくとも２つのモードを有しており、起動制御部１４４からの制御命令に応じて、これら２つのモードを切り換えて変換を行う。
【００３９】
起動制御部１４４は、待機状態から通常動作状態へ移行する起動制御信号の通信を行う。また、起動制御部１４４は、低消費電力で動作できる演算処理装置が用いられている。具体的に、この演算処理装置には、モニタ機器２０から起動制御信号を受信して当該ソース機器１０を待機状態から通常動作状態へ移行する制御をするための起動制御プログラムが組み込まれている。よって、起動制御部１４４は、この起動制御プログラムに従って、Ｅ／Ｏ変換部１４２及びＯ／Ｅ変換部１４３への供給電力の制御を行う。
【００４０】
起動制御部１４４は、シリアル信号形式の起動制御信号を受信して後述するＵＡＲＴ信号規格に基づいて起動制御データを読み取るＵＡＲＴ受信部１４４ａと、ＵＡＲＴ受信部１４４ａにより読み取られた起動制御データを赤外線リモートコントローラ４０の信号伝送規格であるＳＩＲＣＳ信号に変換するＳＩＲＣＳ送信部１４４ｂから構成される。
【００４１】
ＵＡＲＴ受信部１４４ａは、電気信号であってシリアル信号形式の起動制御信号をＯ／Ｅ変換部１４３から受信して、図４に示すような、一定時間間隔で信号をＬｏｗ／Ｈｉｇｈに変化し、その変化に応じて０と１の信号を表現するＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号規格に基づいて起動制御データを読み取り、起動制御データをＳＩＲＣＳ送信部１４４ｂへ出力する。
【００４２】
ＳＩＲＣＳ送信部１４４ｂは、ＵＡＲＴ受信部１４４ａが出力した起動制御データに応じたＳＩＲＣＳ信号規格の起動制御信号を生成して、制御信号Ｉ／Ｆ部１３へ出力する。
【００４３】
次に、図５を参照して、モニタ機器２０のモニタ伝送処理部２４の構成について、詳細に説明する。モニタ伝送処理部２４は、図５に示すように、光信号ケーブル３０の光信号をモニタ機器２０の所定ディジタル映像信号伝送規格Ｉ／Ｆへの電気信号の信号処理を行う電気信号処理部２４１と、電気信号処理部２４１において信号処理された電気信号を光信号に変換するＥ／Ｏ変換部２４２と、光信号ケーブル３０を介してソース機器１０から送信される光信号を電気信号に変換するＯ／Ｅ変換部２４３と、ソース機器１０との間で、待機状態から通常動作状態へ移行する制御を行う起動制御部２４４から構成される。
【００４４】
電気信号処理部２４１は、図５に示すように、ＳＥＲＤＥＳ変換部２４１ａと、ロジック部２４１ｂと、ＲＧＢＩ／Ｆデバイス部２４１ｃとから構成されている。
【００４５】
ＳＥＲＤＥＳ変換部２４１ａは、光信号ケーブル３０を介してソース機器１０から送られてきた光信号であって、Ｏ／Ｅ変換部２４３により変換された電気信号をパラレル信号へ変換する。ここで、光信号ケーブル３０を介して伝送される光信号がシリアル信号形式なので、シリアル信号形式の電気信号がＯ／Ｅ変換部２４３から出力される。
【００４６】
ロジック部２４１ｂは、ＳＥＲＤＥＳ変換部２４１ａによってパラレル信号形式へ変換された信号が時分割に多重化されているので、この多重化信号を映像信号と制御信号とに分離する。
【００４７】
ＲＧＢＩ／Ｆデバイス部２４１ｃは、ロジック部２４１ｂにより分離処理が施された映像信号を、所定のディジタル映像信号伝送規格に基づいた映像信号形式に変換して、映像信号Ｉ／Ｆ部２２へ出力する。
【００４８】
Ｅ／Ｏ変換部２４２は、電気信号処理部２４１において多重化された電気信号を光信号に変換する。ここで、Ｅ／Ｏ変換部２４２は、ソース機器１０のＥ／Ｏ変換部１４２と同様に、通常変換モードと省電力変換モードとの２つのモードを有しており、起動制御部２４４からの制御命令に応じて、これらの２つのモードを切り換えて電気信号を光信号に変換する。
【００４９】
Ｏ／Ｅ変換部２４３は、光ケーブル３０を介してソース機器１０から送信される光信号を電気信号に変換する。ここで、Ｏ／Ｅ変換部２４３は、ソース機器１０のＯ／Ｅ変換部１４３と同様に、通常変換モードと省電力変換モードとの少なくとも２つのモードを有しており、起動制御部２４４からの制御命令に応じて、これらの２つのモードを切り換えて光信号を電気信号に変換する。
【００５０】
起動制御部２４４は、待機状態から通常動作状態へ移行する起動制御信号の通信を行う。また、起動制御部２４４は、低消費電力で動作できる演算処理装置が用いられている。具体的に、この演算処理装置には、ソース機器１０を待機状態から通常動作状態へ移行させる起動制御信号の送信するための起動制御プログラムが組み込まれている。起動制御部２４４は、この起動制御プログラムに従って、Ｅ／Ｏ変換部２４２及びＯ／Ｅ変換部２４３への供給電力の制御を行う。
【００５１】
また、起動制御部２４４は、制御信号Ｉ／Ｆ部２３から出力される起動制御信号をＳＩＲＣＳ信号規格に基づいて起動制御データの読み取りを行うＳＩＲＣＳ受信部２４４ａと、ＳＩＲＣＳ受信部２４４ａが読み出した起動制御データをＵＡＲＴ信号規格のシリアル信号に変換するＵＡＲＴ送信部２４４ｂから構成される。
【００５２】
ＳＩＲＣＳ受信部２４４ａは、制御信号Ｉ／Ｆ部２３から送信される制御信号から、ＳＩＲＣＳ信号規格に基づいて起動制御データを読み取る。さらに、ＳＩＲＣＳ受信部２４４ａは、読み取った起動制御データをＵＡＲＴ送信部２４４ｂへ出力する。
【００５３】
ＵＡＲＴ送信部２４４ｂは、ＳＩＲＣＳ受信部２４４ａから出力された起動制御データに応じたＵＡＲＴ信号規格の起動制御信号を生成してＥ／Ｏ変換部２４２へ送信する。
【００５４】
次に、ソース機器１０とモニタ機器２０とが互いに備える起動制御部１４４、２４４を用いて、待機状態から通常動作状態へ移行する起動制御工程について図６を用いて説明する。
【００５５】
本実施の形態では、互いに待機状態のソース機器１０とモニタ機器２０とを、通常動作状態へ移行する起動制御工程に注目して扱う。したがって、本実施の形態において、通常動作状態に移行した後に光伝送システム１が行う映像信号の伝送に関しての説明は省略する。また、この起動制御工程は、起動制御部１４４、２４４にそれぞれ書き込まれた起動制御プログラムに従って実行されるものとする。
【００５６】
まず、図６のステップＳ１〜Ｓ５に示す電源の供給から待機状態に設定されるまでのモニタ機器２０における起動制御部２４４の処理工程について説明する。
【００５７】
ステップＳ１において、起動制御部２４４は、モニタ本体部２１から電力が供給される。ここで、モニタ本体部２１は、待機状態であって、赤外線リモートコントローラ４０などの所定のユーザインターフェースから起動命令が入力され、通常動作状態へ移行するとともに、制御信号Ｉ／Ｆ部２３を介して、起動制御部２４４に電力を供給する。
【００５８】
ステップＳ２において、起動制御部２４４に電力が供給されると、起動制御部２４４は、起動制御プログラムに従って、所定の初期設定を行う。
【００５９】
ステップＳ３において、初期設定が完了すると、起動制御部２４４は、起動制御プログラムに従って、起動用Ｉ／Ｏ割り込み設定を行う。ここで、起動用Ｉ／Ｏ割り込み設定とは、モニタ伝送処理部２４の各ブロックへの供給電力を制限して省電力化された待機状態とし、当該起動制御部２４４と接続された制御信号Ｉ／Ｆ部２３から入力される制御信号の変化を検出に応じて、待機状態から通常起動状態へ移行して、制限された動作を解除する設定である。
【００６０】
ステップＳ４において、起動用Ｉ／Ｏ割り込み設定が完了すると、起動制御部２４４は、起動制御プログラムに従って、モニタ伝送処理部２４を待機状態へ移行させる。具体的にモニタ伝送処理部２４は、起動制御部２４４のみに電力が供給されている待機状態へ移行させる。ここで、起動制御部２４４は、制御信号Ｉ／Ｆ部２３及び光信号ケーブル３０を介してＯ／Ｅ変換部２４３から出力される単純なＨｉｇｈ／Ｌｏｗ電圧レベルに応じて割り込み処理を行う、演算処理能力を制限した待機状態に設定する。
【００６１】
ステップＳ５において、モニタ伝送処理部２４が待機状態へ移行すると、起動制御部２４４は、起動制御プログラムに従って、制御信号Ｉ／Ｆ部２３又はＯ／Ｅ変換部２４３からＨｉｇｈ／Ｌｏｗ電圧レベルに応じた割り込み起動命令があるか否かを判断する。ここで、起動制御プログラムは、割り込み起動命令があればステップＳ６へ移行し、割り込み起動命令がなければ、この処理を繰り返し実行する。
【００６２】
一方、ソース機器１０における起動制御部１４４も、ステップＳ２１〜Ｓ２５において、モニタ機器２０における起動制御部２４４と同様に電源が供給され、待機状態に設定される。ここで、モニタ機器２０の起動制御工程のステップＳ４において、起動制御部２４４が制御信号Ｉ／Ｆ部２３からのＨｉｇｈ／Ｌｏｗ電圧レベルに対して割り込み処理を行うのに対して、ソース機器１０の起動制御部１４４では、ステップＳ２４において、光信号ケーブル３０を介してＯ／Ｅ変換部２４３から出力されるＨｉｇｈ／Ｌｏｗ電圧レベルに応じた割り込み処理に待機した状態となっている。
【００６３】
次に、互いに待機状態のソース機器１０とモニタ機器２０に対して、待機状態を解除する割り込み処理が行われ、２つの機器が映像信号を光伝送する通常動作状態へ移行する起動処理について説明する。
【００６４】
ステップＳ６において、モニタ本体部２１における起動制御部２４４は、制御信号Ｉ／Ｆ部２３からＨｉｇｈ／Ｌｏｗ信号に応じた割り込み起動命令が入力され、起動制御プログラムに従って、待機状態から通常動作状態へ移行する。ここで、モニタ本体部２１は、受光モジュール２１ａで赤外線リモートコントローラ４０から発信されるＳＩＲＣＳ信号規格の起動制御信号を受信し、待機状態から通常動作状態に移行するとともに、受信したＳＩＲＣＳ信号規格の制御信号を、制御信号Ｉ／Ｆ部２３を介して、起動制御部２４４に送信する。また、起動制御部２４４は、制御信号Ｉ／Ｅ部２３から送信される制御信号をＨｉｇｈ／Ｌｏｗ信号に応じた割り込み起動命令として認識して起動制御を行う。
【００６５】
ステップＳ７において、起動制御部２４４は、起動制御プログラムに従って、制御信号Ｉ／Ｆ部２３から出力された起動制御信号から起動制御データの読み取りを行う。具体的には、起動制御部２４４は、起動制御プログラムに従って、ＳＩＲＣＳ受信部２４４ａに対して、制御信号Ｉ／Ｆ部２３から送信されるＳＩＲＣＳ信号規格の起動制御信号から起動制御データを読み出させる。また、ＳＩＲＣＳ受信部２４４ａは、読み出した起動制御データをＵＡＲＴ送信部２４４ｂへ出力する。ここで、起動制御データは、起動制御信号における所定の信号伝送規格に基づいて読み取られたデータであり、単純なＨｉｇｈ／Ｌｏｗ信号に応じた割り込み起動命令ではなく、ソース機器１０に対して具体的な制御命令として扱われる。
【００６６】
ステップＳ８において、起動制御部２４４は、起動制御プログラムに従って、Ｅ／Ｏ変換部２４２に、電力を供給させて省電力モードとして起動させる。
【００６７】
ステップＳ９において、起動制御部２４４は、起動制御プログラムに従って、Ｅ／Ｏ変換部２４２が省電力モードで起動したことを確認して、制御信号Ｉ／Ｆ部２３から出力された起動制御信号を、Ｅ／Ｏ変換部２４２へ出力する。具体的に、起動制御部２４４は、起動制御プログラムに従って、ＵＡＲＴ送信部２４４ｂに対して、ＳＩＲＣＳ受信部２４４ａが読み出した起動制御データに応じてＵＡＲＴ信号規格の起動制御信号を生成して、Ｅ／Ｏ変換部２４２へ送信する。ここで、当該起動制御信号は、ＵＡＲＴ信号規格なので低伝送速度でＥ／Ｏ変換部２４２へ送信することができ、Ｅ／Ｏ変換部２４２の動作を省電力化することができる。具体的に、映像信号がＧｂｐｓ又はＭｂｐｓ単位の速度で伝送されるのに対して、起動制御信号は、Ｋｂｐｓ単位の低速度で伝送される。さらに、起動制御部２４４は、起動制御プログラムに従って、Ｅ／Ｏ変換部２４２に対して、起動制御信号を光信号に変換させて光信号ケーブル３０へ送信させる。
【００６８】
ステップＳ１０において、Ｅ／Ｏ変換部２４２が光信号ケーブル３０とを介してソース機器１０へ起動制御信号を送信すると、起動制御部２４４は、起動制御プログラムに従って、電気信号処理部２４１の各処理部へ電力を供給させて、光信号ケーブル３０を介してソース機器１０から伝送される映像信号に備える。
【００６９】
ステップＳ１１において、起動制御部２４４は、起動制御プログラムに従って、待機状態に移行するか否かを判断する。起動制御部２４４は、待機状態に移行しないと判断されると、ステップＳ１１の動作を繰り返し、待機状態に移行すると判断されると、ステップＳ４に本起動制御処理を戻す。
【００７０】
次に、モニタ機器２０から光信号ケーブル３０へ送信された起動制御信号がソース伝送処理部１４に到達した後に、起動制御部１４４は、起動制御プログラムに従って、ステップＳ２５〜２９の処理工程により、ソース伝送処理部１４を待機状態から通常動作状態へ移行させる。
【００７１】
まず、起動制御信号は、光信号ケーブル３０を介してＯ／Ｅ変換部１４３へ入力される。続いて、Ｏ／Ｅ変換部１４３は、光信号形式の起動制御信号を電気信号形式へ変換して、起動制御部１４４へ出力する。
【００７２】
ステップＳ２６において、Ｏ／Ｅ変換部１４３から起動制御信号が起動制御部１４４に入力されると、起動制御部１４４は、起動制御プログラムに従って、起動制御信号が入力されたことによる電圧変化によって、割り込み処理が行われ、待機状態から動作状態へ移行する。
【００７３】
ステップＳ２７において、起動制御部１４４が動作状態へ移行すると、起動制御部１４４は、起動制御プログラムに従って、モニタ機器２０から光伝送された起動制御信号から起動制御データを読み取る。具体的には、起動制御部１４４は、起動制御プログラムに従って、ＵＡＲＴ受信部１４４ａに対して、Ｏ／Ｅ変換部１４３から送信された制御信号をＵＡＲＴ信号形式に基づいて起動制御データを読み取らせる。また、ＵＡＲＴ受信部１４４ａは、読み取った起動制御データをＳＩＲＣＳ送信部１４４ｂへ出力する。
【００７４】
ステップＳ２８において、起動制御部１４４は、起動制御プログラムに従って、起動制御信号から読み取られた起動制御データを制御信号Ｉ／Ｆ部１３へ出力する。具体的には、起動制御部１４４は、起動制御プログラムに従って、ＳＩＲＣＳ送信部１４４ｂに対して、ＵＡＲＴ受信部１４４ａから送信された起動制御データに応じたＳＩＲＣＳ信号規格の起動制御信号に変換する。さらに、ＳＩＲＣＳ送信部１４４ｂは、ＳＩＲＣＳ信号規格の起動制御信号を、制御信号Ｉ／Ｆ部１３を介して、ソース本体部１１に備えられたＳＩＲＣＳデコーダ部１１ａに送信する。
【００７５】
その後、ソース本体部１１は、制御信号Ｉ／Ｆ部１３を介してＳＩＲＣＳ信号規格の起動制御信号がＳＩＲＣＳデコーダ部１１ａに入力されて、ＳＩＲＣＳデコーダ部１１ａが起動制御データの読み取りを行い、起動制御データに応じたＩ／Ｏ割り込み処理によって、待機状態から通常動作状態へ移行する。具体的に、ソース本体部１１は、入力した起動制御データに応じて、映像信号の出力等の動作が実行される。
【００７６】
ステップＳ２９において、制御信号Ｉ／Ｆ部１３へ起動制御信号が出力されると、起動制御部１４４は、起動制御プログラムに従って、ソース伝送処理部１４の各ブロックへ電力を供給させて、ソース本体部１１から出力される映像信号に対する信号処理に備える。
【００７７】
ステップＳ３０において、起動制御部１４４は、起動制御プログラムに従って、待機状態に移行するか否かを判断する。起動制御部１４４は、待機状態に移行しないと判断されると、ステップＳ３０の動作を繰り返し、待機状態に移行すると判断されると、ステップＳ２４に本起動制御処理を戻す。
【００７８】
以上の処理工程により、ソース機器１０とモニタ機器２０とは、待機状態から映像信号を光伝送する動作状態へ移行する。
【００７９】
このように、起動制御部１４４、２４４は、これらの演算処理装置に組み込まれた起動制御プログラムに応じて起動制御工程が実行される。したがって、起動制御部１４４、２４４は、省電力状態において動作が不必要な部分の電源をＯＦＦにし、待機状態において動作が必要な部分に必要となる電力のみを供給させる、複雑な起動制御を行うことができる。さらに、このような複雑な起動制御をソフトウェアにより実行されるため、複雑なハードウェアを設計する必要がなく、目的に応じて設計仕様の書き換えを容易に行うことができる。
【００８０】
また、起動制御部１４４、２４４は、低消費電力化された演算処理装置を使用することで、待機状態において省電力を実現する。このような低消費電力化された演算処理装置は、通常動作状態以外に、待機状態や、外部からの入力により待機状態から通常動作状態へ移行できる割り込み起動処理を行うことができるので、待機状態における消費電力を低くすることができる。
【００８１】
さらに、光伝送システム１では、赤外線リモートコントローラ４０から発信されたＳＩＲＣＳ信号規格の起動制御信号に応じてモニタ機器２０を起動するとともに、ＳＩＲＣＳ信号規格をＵＡＲＴ信号規格の起動制御信号に変換して光伝送ケーブル３０を介して伝送して、ソース機器１０の起動制御も行う。
【００８２】
また、単位時間当たりに同等の情報を伝送する場合には、ＵＡＲＴ信号規格の伝送信号がＳＩＲＣＳ信号規格に比べて、伝送信号の周波数を１／２から１／３程度することができる。また、起動制御工程において、モニタ機器２０のＥ／Ｏ変換部２４２は、ＵＡＲＴ信号規格で電気信号形式の制御信号を光信号形式に変換して伝送し、ソース機器１０のＯ／Ｅ変換部１４３も同様に、ＵＡＲＴ信号規格で光信号形式の制御信号を電気信号形式に変換して伝送する。したがって、ソース機器１０のＯ／Ｅ変換部１４３と、モニタ機器２０のＥ／Ｏ変換部２４２は、ＳＩＲＣＳ信号規格に比べて低周波数成分のＵＡＲＴ信号規格の信号変換を行うため、これらの変換部の消費電力を低くすることができ、省電力化が図れる。
【００８３】
ここで、ＵＡＲＴ信号規格の信号がＳＩＲＣＳ信号規格の信号よりも信号の周波数帯域を遅くするためには、ＳＩＲＣＳ受信部２４４ａが読み取った起動制御データを一時的に保管して、ＵＡＲＴ送信部から送信するＵＡＲＴ信号規格の信号の送信時間を調節しなければならない。したがって、上述した赤外線リモートコントローラ４０からのＳＩＲＣＳ信号規格の起動制御信号を、ＵＡＲＴ信号規格の信号に変換して、光伝送ケーブル３０を介して光伝送を行うためには、信号規格の変換を行う起動制御部１４４、２４４に一時的に制御データを保管するバッファ部が必要である。そこで、起動制御データを一時的に保管するバッファ部を設けた起動制御部１４４、２４４の処理工程について説明する。
【００８４】
モニタ機器２０の起動制御部２４４は、図７に示すように、ＳＩＲＣＳ受信部２４４ａとＵＡＲＴ送信部２４４ｂに加えて、ＳＩＲＣＳ受信部２４４ａが読み取った起動制御データを一時的に保管するバッファ部２４４ｃを備える。
【００８５】
また、ＳＩＲＣＳ受信部２４４ａは、ＳＩＲＣＳデコーダ部２４４ａ−１とデータレジスタ２４４ａ―２とを備える。ＳＩＲＣＳデコーダ部２４４ａ―１は、制御信号Ｉ／Ｆ部２３からの出力信号をＳＩＲＣＳ信号規格に基づいた起動制御データを読み出してデータレジスタ２４４ａ―２に出力するとともに、データレジスタ２４４ａ―２に記憶された起動制御データをバッファ部２４４ｃへ入力させる入力要求命令をバッファ部２４４ｃに出力する。データレジスタ２４４ａ―２は、ＳＩＲＣＳデコーダ部２４４ａ―１から出力された起動制御データを記憶するとともに、ＳＩＲＣＳデコーダ部２４４ａ―１からバッファ部２４４ｃへの入力要求命令に応じて、起動制御データをバッファ部２４４ｃへ出力する。
【００８６】
また、ＵＡＲＴ送信部２４４ｂは、ＵＡＲＴエンコーダ部２４４ｂ−１とデータレジスタ２４４ｂ−２とを備える。ＵＡＲＴエンコーダ部２４４ｂ−１は、バッファ部２４４ｃに保管された起動制御データをデータレジスタ２４４ｂ−２へ出力する出力要求命令を、バッファ部２４４ｃに出力する。また、ＵＡＲＴエンコーダ部２４４ｂ−１は、データレジスタ２４４ｂ−２に記憶された起動制御データを読み出して、起動制御データに応じたＵＡＲＴ信号規格に基づく起動制御信号をＥ／Ｏ変換部２４２へ送信する。データレジスタ２４４ｂ−２は、バッファ部２４４ｃが出力する起動制御データを記憶する。
【００８７】
バッファ部２４４ｃは、ＳＩＲＣＳ受信部２４４ａからの入力要求命令に応じて、起動制御データを保管し、ＵＡＲＴ送信部２４４ｂからの出力要求命令に応じて起動制御データを出力する。
【００８８】
ソース機器１０の起動制御部１４４は、図８に示すように、ＵＡＲＴ受信部１４４ａとＳＩＲＣＳ送信部１４４ｂに加えて、ＵＡＲＴ受信部１４４ａが読み取った起動制御データを一時的に保管するバッファ部１４４ｃを備える。
【００８９】
また、ＵＡＲＴ受信部１４４ａは、ＵＡＲＴデコーダ部１４４ａ−１とデータレジスタ１４４ａ―２とを備える。ＵＡＲＴデコーダ部１４４ａ−１は、Ｏ／Ｅ変換部１４３が出力した電気信号形式の起動制御信号をＵＡＲＴ信号規格に基づいた起動制御データを読み出し、データレジスタ１４４ａ―２に出力する。また、ＵＡＲＴデコーダ部１４４ａ−１は、データレジスタ１４４ａ―２に一時的に記憶された起動制御データをバッファ部１４４ｃに入力させる入力要求命令を、バッファ部１４４ｃに出力する。データレジスタ１４４ａ―２は、ＵＡＲＴデコーダ部１４４ａ―１から出力された起動制御データを記憶するとともに、ＵＡＲＴデコーダ部１４４ａ―１からバッファ部１４４ｃへの入力要求命令に応じて、起動制御データをバッファ部１４４ｃへ出力する。
【００９０】
また、ＳＩＲＣＳ送信部１４４ｂは、ＳＩＲＣＳエンコーダ部１４４ｂ−１とデータレジスタ１４４ｂ−２とを備える。ＳＩＲＣＳエンコーダ部１４４ｂ−１は、バッファ部１４４ｃに保管された起動制御データをデータレジスタ１４４ｂ−２へ出力する出力要求命令を、バッファ部１４４ｃに出力する。また、ＳＩＲＣＳエンコーダ部１４４ｂ−１は、データレジスタ１４４ｂ−２に記憶された起動制御データを受け取って、起動制御データに応じたＳＩＲＣＳ信号規格に基づいた起動制御信号を生成して、制御信号Ｉ／Ｆ部２３を介して、ソース本体部１１のＳＩＲＣＳデコーダ部１１ａへ送信する。データレジスタ１４４ｂ−２は、バッファ部１４４ｃが出力する起動制御データを記憶する。
【００９１】
バッファ部１４４ｃは、ＵＡＲＴ受信部１４４ａからの入力要求命令に応じて、起動制御データを保管するとともに、ＳＩＲＣＳ送信部１４４ｂからの出力要求命令に応じて起動制御データを出力する。
【００９２】
ここで、バッファ部１４４ｃ、２４４ｃは、それぞれ起動制御部１４４、２４４の演算処理装置に組み込まれた起動制御プログラムに応じて、同様に起動制御データの入出力を行う。また、バッファ部１４４ｃ、２４４ｃにおいて、起動制御データは、それぞれ起動制御部１４４、２４４を構成するマイクロコンピュータ内に設けられたメモリに記憶することによって実現される。よって、バッファ部１４４ｃ、２４４ｃの機能を実現するための専用のメモリを設ける必要がなく、経済性に優れている。
【００９３】
次に、バッファ部１４４ｃ、２４４ｃが行う起動制御データの入出力処理工程について、説明する。ここで、バッファ部１４４ｃ、２４４ｃは、所定のデータレジスタ間において、同等の起動制御データの入出力処理を行う処理を行うため、以下では、モニタ機器２０のバッファ部２４４ｃの処理について、図９及び図１０を参照して詳細に説明する。
【００９４】
まず、モニタ機器２０側のバッファ部２４４ｃ内部において実行される起動制御プログラムにおける起動制御データの入出力処理工程は、図９に示すように、１からＭ番目までのアドレスに応じたメモリ領域を有し、書き込みバッファ位置（ＷＢ）と、読み出しバッファ位置（ＲＢ）と、バッファリング数（ＮＢ）の３つのパラメータから構成される。
【００９５】
ここで、Ｍとは１以上の整数であり、メモリ領域におけるデータ格納領域の最大値の番号を表している。
【００９６】
書き込みバッファ位置（ＷＢ）は、ＳＩＲＣＳ受信部２４４ａが読み出した起動制御データを格納するメモリ領域の位置を示す。また、読み出しバッファ位置（ＲＢ）は、ＵＡＲＴ送信部２４４ｂのデータレジスタ２４４ｂ−２へ読み出すメモリ領域の位置を示す。さらに、バッファリング数（ＮＢ）は、メモリ領域に格納されているデータ量を示す。バッファ部２４４ｃにおいて、初期設定状態では、図９の（ａ）に示すように、書き込みバッファ位置（ＷＢ）と読み出しバッファ位置（ＲＢ）とが、メモリ領域の１番目のアドレスであり、バッファリング数（ＮＢ）が０に設定されている。また、バッファ部２４４ｃにおいて入出力処理が行われている時の、各パラメータの具体例は、図９の（ｂ）に示すように、書き込みバッファ位置（ＷＢ）がメモリ領域において８番目、また、読み出しバッファ位置（ＲＢ）が５番目にある。この場合において、メモリ領域に格納されたデータ数であるバッファリング数は、書き込みバッファ位置（ＷＢ）と読み出しバッファ位置（ＲＢ）との差である３となる。
【００９７】
次に、バッファ部２４４ｃが実行する起動制御データの入出力処理工程について、図１０を参照して詳細に説明する。
【００９８】
まず、起動制御部２４４は、待機状態であって、制御信号Ｉ／Ｆ部２３から送信される起動制御信号を単純なＨｉｇｈ／Ｌｏｗ信号として認識して起動し、以下に示す入出力処理工程を、バッファ部２４４ｃに実行させるものとする。
【００９９】
ステップＳ５１において、バッファ部２４４ｃは、起動制御部２４４からの命令により、当該起動制御部２４４から電力が供給されて起動する。
【０１００】
ステップＳ５２において、バッファ部２４４ｃは、起動制御部２４４からの命令により、図９（ａ）に示したようにパラメータＷＢ、ＲＢ、ＮＢの初期設定を行う。すなわち、各パラメータは、図９の（ａ）に示したように、ＷＢ＝１、ＲＢ＝１、ＮＢ＝０に設定される。
【０１０１】
ステップＳ５３において、バッファ部２４４ｃは、起動制御部２４４からの命令により、ＳＩＲＣＳ受信部２４４ａから起動制御信号の入力要求命令が入力されたか否かを判断する。バッファ部２４４ｃは、ＳＩＲＣＳ受信部２４４ａからの入力要求命令が入力されると、ステップＳ５４に進む。また、バッファ部２４４ｃは、ＳＩＲＣＳ受信部２４４ａからの入力要求命令が入力されないと、ステップＳ６１に進む。
【０１０２】
ステップＳ５４において、バッファ部２４４ｃは、バッファリングプログラムに従って、バッファリング数（ＮＢ）が、当該メモリ領域の最大値であるＭより大きいか否かを判断する。ここで、バッファリング数（ＮＢ）がＭ以下であれば、本入出力処理工程は、ステップＳ５５に進み、バッファリング数（ＮＢ）がＭより大きければ、ステップＳ５６に進む。
【０１０３】
ステップＳ５５において、バッファ部２４４ｃは、起動制御部２４４からの命令により、データレジスタ２４４ａ―２に格納された起動制御データを読み出し、当該起動制御データを書き込みバッファ位置に応じたメモリ領域に書き込むとともに、本入出力処理工程をステップＳ５７に進める。
【０１０４】
ステップＳ５６において、バッファ部２４４ｃは、バッファリング数がＭ個より大きく、新たに起動制御データをメモリ領域に書き込むことができないため、起動制御部２４４からの命令により、メモリ領域に書き込み不可である旨のオーバーフロー情報をＳＩＲＣＳ受信部２４４ａに対して出力するとともに、本入出力処理工程をステップ６０に進める。
【０１０５】
ステップＳ５７において、バッファ部２４４ｃは、起動制御部２４４からの命令により、バッファリング数（ＮＢ）がＭであるか否かを判断する。ここで、本入出力処理工程は、バッファリング数（ＮＢ）がＭであると判断されると、ステップＳ５８に進み、バッファリング数（ＮＢ）がＭではないと判断されると、ステップＳ５９に進む。また、ステップＳ５４において、バッファリング数（ＮＢ）が、Ｍ以下であると判断されていることを考慮すると、処理工程がステップＳ５９に進む場合は、バッファリング数（ＮＢ）がＭ未満であると判断された場合である。
【０１０６】
ステップＳ５８において、バッファ部２４４ｃは、起動制御部２４４からの命令により、書き込みバッファ位置（ＷＢ）を０に設定するとともに、処理工程をステップＳ６０へ進める。
【０１０７】
ステップＳ５９において、バッファ部２４４ｃは、起動制御部２４４からの命令により、書き込みバッファ位置（ＷＢ）をインクリメントして、ＷＢ＋１番目の位置に設定して、本入出力処理工程をステップＳ６０へ進める。
【０１０８】
ステップＳ６０において、バッファ部２４４ｃは、起動制御部２４４からの命令により、ステップＳ５５において新たに起動制御データが書き込まれてメモリ領域に格納された起動制御データが１つ増加したことに応じて、バッファリング数（ＮＢ）をインクリメントして、ＮＢ＋１番目の位置に設定して、本入出力処理工程をステップＳ５３に戻す。
【０１０９】
ステップＳ６１において、バッファ部２４４ｃは、起動制御部２４４からの命令により、ＵＡＲＴエンコーダ部２４４ｂ−１から起動制御信号の出力要求命令が入力されたか否かを判断する。バッファ部２４４ｃは、ＵＡＲＴエンコーダ部２４４ｂ−１からの出力要求命令が入力されると、本入出力処理工程をステップＳ６２に進める。また、バッファ部２４４ｃは、ＵＡＲＴエンコーダ部２４４ｂ−１からの出力要求命令が入力されないと、本入出力処理工程をステップＳ５３に戻し、出力要求命令が入力されるまでステップＳ６１の処理が繰り返される。
【０１１０】
ステップＳ６２において、バッファ部２４４ｃは、起動制御部２４４からの命令により、バッファリング数（ＮＢ）が１以上、つまりメモリ領域に起動制御データが格納されているか否かを判断する。ここで、本入出力処理工程は、バッファリング数（ＮＢ）が１以上の場合にステップＳ６３に進み、バッファリング数（ＮＢ）が１未満つまり０の場合にステップＳ５３に戻る。
【０１１１】
ステップＳ６３において、バッファ部２４４ｃは、起動制御部２４４からの命令により、読み出しバッファ位置（ＲＢ）に格納されたメモリ領域の起動制御データを参照して、ＵＡＲＴ送信部２４４ｂのデータレジスタ２４４ｂ−２に対して、当該起動制御データを出力する。
【０１１２】
ステップＳ６４において、バッファ部２４４ｃは、起動制御部２４４からの命令により、読み出しバッファ位置（ＲＢ）がＭ番目であるか否かを判断する。本入出力処理工程は、読み出しバッファ位置（ＲＢ）がＭ番目である場合にステップＳ６５に進み、読み出しバッファ位置（ＲＢ）がＭ番目でない、つまり０〜Ｍ−１番目である場合にステップＳ６６に進む。
【０１１３】
ステップＳ６５において、バッファ部２４４ｃは、起動制御部２４４からの命令により、読み出しバッファ位置（ＲＢ）を０に初期化し、本入出力処理工程をステップＳ６７に進める。
【０１１４】
ステップＳ６６において、バッファ部２４４ｃは、起動制御部２４４からの命令により、読み出しバッファ位置（ＲＢ）をインクリメントしてＲＢ＋１番目に設定して、ステップＳ６７に進める。
【０１１５】
ステップＳ６７において、バッファ部２４４ｃは、起動制御部２４４からの命令により、ステップＳ６３で起動制御データをＵＡＲＴ送信部２４４ｂへ出力してメモリ領域内に格納された起動制御データが１つ減少したことに応じて、バッファリング数（ＮＢ）をデクリメントしてＮＢ−１番目に設定する。また、本入出力処理工程は、ステップＳ５３に戻る。
【０１１６】
以上のように、バッファ部２４４ｃは、起動制御部２４４からの命令により、Ｍ個のメモリ格納領域と、当該メモリ格納領域の使用状況を参照する３つのパラメータＷＢ、ＲＢ、ＮＢを用いて、起動制御データの入出力処理を行う。なお、ソース機器１０の起動制御部１４４が備えるバッファ部１４４ｃも、上述したバッファ部２４４ｃと同様に起動制御データの入出力処理を行う。
【０１１７】
次に、モニタ機器２０の起動制御部２４４において、バッファ部２４４ｃの入出力処理工程を加えた、起動制御工程について図１１及び図１２を参照して詳細に説明する。まず、制御信号Ｉ／Ｆ部２３から出力された起動制御信号をＳＩＲＣＳ信号規格に基づいて起動制御データを読み取るＳＩＲＣＳ受信部２４４ａの動作について、図１１を参照して説明する。
【０１１８】
ステップＳ１０１において、ＳＩＲＣＳ受信部２４４ａは、起動制御プログラムに従って、起動制御部２４４から電力が供給され通常動作状態へ移行する。ここで、起動制御部２４４は、制御信号Ｉ／Ｆ部２３から出力される起動制御信号のＨｉｇｈ／Ｌｏｗ変化を判断して待機状態から通常動作状態へ移行するとともに、ＳＩＲＣＳ受信部２４４ａを通常動作状態に移行させる。
【０１１９】
ステップＳ１０２において、ＳＩＲＣＳ受信部２４４ａは、起動制御プログラムに従って、データレジスタ２４４ａ―２のメモリ格納領域を初期化する。
【０１２０】
ステップＳ１０３において、ＳＩＲＣＳ受信部２４４ａは、起動制御プログラムに従って、ＳＩＲＣＳ信号規格の起動制御信号が送信されたか否かを判断する。ここで、本処理工程は、ＳＩＲＣＳ受信部２４４ａにＳＩＲＣＳ信号規格の起動制御信号が送信されたと判断されるとステップＳ１０４に進み、ＳＩＲＣＳ信号規格の起動制御信号が送信されなかったと判断されると、ステップＳ１０３を繰り返し行う。
【０１２１】
ステップＳ１０４において、ＳＩＲＣＳ受信部２４４ａは、起動制御プログラムに従って、送信されたＳＩＲＣＳ信号規格の起動制御信号から起動制御データを読み取る。具体的には、ＳＩＲＣＳ受信部２４４ａに設けられたＳＩＲＣＳデコード部２４４ａ―１が、送信された起動制御信号を、ＳＩＲＣＳ信号規格に基づいて起動制御データの読み取りを行う。
【０１２２】
ステップＳ１０５において、ＳＩＲＣＳ受信部２４４ａは、起動制御プログラムに従って、ＳＩＲＣＳデコード部２４４ａ―１に対して、読み取った起動制御データをデータレジスタ２４４ａ―２へ送信させる。また、データレジスタ２４４ａ―２は、ＳＩＲＣＳデコーダ部２４４ａ―１から送信された起動制御データを、当該メモリ格納領域に記憶する。
【０１２３】
ステップＳ１０６において、ＳＩＲＣＳ受信部２４４ａは、起動制御プログラムに従って、ＳＩＲＣＳデコード部２４４ａ―１に対して、起動制御データをバッファ部２４４ｃに入力させる入力要求命令をバッファ部２４４ｃへ出力させる。具体的に、入力要求命令は、データレジスタ２４４ａ―２に記憶された起動制御データをバッファ部２４４ｃに入力させる、ＳＩＲＣＳデコーダ部２４４ａ−１がバッファ部２４４ｃに対して出力する制御命令である。
【０１２４】
ステップＳ１０７において、ＳＩＲＣＳ受信部２４４ａは、起動制御プログラムに従い、バッファ部２４４ｃに対して、ステップＳ１０６の入力要求命令に応じてデータレジスタ２４４ａ―２に記憶された起動制御データを当該バッファ部２４４ｃの格納メモリ領域に保管させる。
【０１２５】
ステップＳ１０８において、ＳＩＲＣＳ受信部２４４ａは、起動制御プログラムに従って、データレジスタ２４４ａ―２に対して、当該データレジスタ２４４ａ―２のメモリ領域に格納された起動制御データがバッファ部２４４ｃへ全て読み取られたか否かを判断する。ここで、起動制御プログラムでは、データレジスタ２４４ａ―２に記憶された起動制御データが全てバッファ部２４４ｃへ読み出されると、ステップＳ１０２に戻る。また、データレジスタ２４４ａ―２に記憶された起動制御データが全てバッファ部２４４ｃへ読み出されていない場合には、ステップＳ１０８の処理が繰り返される。
【０１２６】
以上のようにして、ＳＩＲＣＳ受信部２４４ａは、ＳＩＲＣＳ信号規格に基づいた起動制御データを読み取り、バッファ部２４４ｃに対して当該起動制御データを保管させる。
【０１２７】
次にバッファ部２４４ｃに保管された起動制御データに応じてＵＡＲＴ信号規格の起動制御信号を送信するＵＡＲＴ送信部２４４ｂについて、図１２を参照して説明する。
【０１２８】
ステップＳ１１１において、ＵＡＲＴ送信部２４４ｂは、起動制御プログラムに従って、起動制御部２４４から電力が供給されて、通常動作状態へ移行する。ここで、起動制御部２４４には、制御信号Ｉ／Ｆ部２３から出力される起動制御信号のＨｉｇｈ／Ｌｏｗ変化を判断して待機状態から通常動作状態へ移行するとともに、ＳＩＲＣＳ受信部２４４ａを通常動作状態に移行させる。
【０１２９】
ステップＳ１１２において、ＵＡＲＴ送信部２４４ｂは、起動制御プログラムに従って、データレジスタ２４４ｂ−２のメモリ格納領域を初期化する。
【０１３０】
ステップＳ１１３において、ＵＡＲＴ送信部２４４ｂは、起動制御プログラムに従って、ＵＡＲＴエンコーダ部２４４ｂ−１に対して、ＵＡＲＴエンコーダ部２４４ｂ−１からバッファ部２４４ｃに対して要求する出力要求命令を、バッファ部２４４ｃへ送信させる。
【０１３１】
ステップＳ１１４において、ＵＡＲＴ送信部２４４ｂは、起動制御プログラムに従って、バッファ部２４４ｃに対し出力要求命令に応じて、起動制御データをデータレジスタ２４４ｂ−２へ送信させる。
【０１３２】
ステップＳ１１５において、ＵＡＲＴ送信部２４４ｂは、起動制御プログラムに従って、バッファ部２４４ｃに対して、出力要求命令に応じてデータレジスタ２４４ｂ−２へ起動制御データの送信が完了したか否かを判断させる。ここで、起動制御プログラムは、出力要求命令に応じて起動制御データの送信が完了したと判断されると、ステップＳ１１６に進み、当該送信処理が完了していないと判断されると、ステップＳ１１５を繰り返し行う。
【０１３３】
ステップＳ１１６において、ＵＡＲＴ送信部２４４ｂは、起動制御プログラムに従って、バッファ部２４４ｃに対して、出力要求命令を停止させる。つまり、バッファ部２４４ｃは、データレジスタ２４４ｂ−２への起動制御データの送信を停止する。
【０１３４】
ステップＳ１１７において、ＵＡＲＴ送信部２４４ｂは、起動制御プログラムに従って、データレジスタ２４４ｂ−２に対して、当該レジスタのメモリ格納領域に記憶された起動制御情報をＵＡＲＴエンコーダ部２４４ｂ−１へ出力させる。
【０１３５】
ステップＳ１１８において、ＵＡＲＴ送信部２４４ｂは、起動制御プログラムに従って、ＵＡＲＴエンコーダ部２４４ｂ−１に対して、データレジスタ２４４ｂ−２から出力された起動制御データを、ＵＡＲＴ信号規格に基づいた起動制御信号に変換させる。
【０１３６】
ステップＳ１１９において、ＵＡＲＴ送信部２４４ｂは、起動制御プログラムに従って、ＵＡＲＴエンコーダ部２４４ｂ−１に対して、ＵＡＲＴ信号規格に変換された起動制御信号をＥ／Ｏ変換部２４２へ送信させる。
【０１３７】
ステップＳ１２０において、ＵＡＲＴ送信部２４４ｂは、起動制御プログラムに従って、ＵＡＲＴエンコーダ部２４４ｂ−１がＵＡＲＴ信号規格に基づく起動制御信号の送信が完了したか否かを判断する。ここで、起動制御プログラムは、ＵＡＲＴエンコーダ部２４４ｂ−１による起動制御信号の送信が完了したと判断されると、ステップＳ１１２に戻り、当該送信処理が完了していないと判断されると、ステップＳ１２０の処理を繰り返す。
【０１３８】
次に、ソース機器１０の起動制御部１４４における、バッファリング処理を加えた起動制御工程について図１３及び図１４を参照して説明する。
【０１３９】
ソース機器１０のＵＡＲＴ受信部１４４ａは、上述したモニタ機器２０のＳＩＲＣＳ受信部２４４ａと同様の処理工程を行う。具体的にＳＩＲＣＳ信号規格の起動制御信号から起動制御信号を読み取る図１１のステップＳ１０１〜１０８に示した各処理工程が、図１３のステップＳ２０１〜２０８に示す処理工程が対応し、ＵＡＲＴ受信部１４４ａでは、ＵＡＲＴ信号規格の起動制御信号から起動制御信号を読み取る。
【０１４０】
ソース機器１０のＳＩＲＣＳ送信部１４４ｂは、上述したモニタ機器２０のＵＡＲＴ送信部２４４ｂと同様の処理工程を行う。具体的にバッファ部２４４ｃに保管された起動制御データをＵＡＲＴ信号規格の起動制御信号に変換する図１２のステップＳ１１１〜１２０に示した各処理工程に、図１４のステップＳ２１１〜２２０に示す処理工程が対応し、ＳＩＲＣＳ送信部１４４ｂでは、バッファ部１４４ｃに保管された起動制御データをＳＩＲＣＳ信号規格の起動制御信号に変換する。
【０１４１】
このように、モニタ機器２０における起動制御部２４４は、起動制御データをバッファ部２４４ｃに一時的に保管することにより、ＵＡＲＴ信号規格の起動信号を送り出す時間を調節する。これにより、起動制御部２４４は、図１５に示すように、ＳＩＲＣＳ信号規格の起動制御信号に対して、信号の周波数成分を低いＵＡＲＴ信号規格の起動制御信号に変換してＥ／Ｏ変換部２４２へ送信することができる。また、ソース機器１０における起動制御部１４４は、起動制御データをバッファ部１４４ｃに一時的に保管することにより、モニタ機器２０から光伝送ケーブル３０を介して送信されたＵＡＲＴ信号規格の起動制御信号をＳＩＲＣＳ信号規格に変換してソース本体部１１へ送信することができる。
【０１４２】
さらに、起動制御部２４４は、図１６に示すように、バッファ部２４４ｃから読み取った起動制御データの各ビットデータ間にスペースを挿入した起動制御信号をＥ／Ｏ変換部２４２に送信して、単位時間当たりの発光時間を短くした光信号を生成して、光伝送ケーブル３０を介して伝送する。このような信号処理により、人間の目を傷つけない安全性の高い光伝送を行うことができる。
【０１４３】
なお、本実施の形態に示した起動制御工程は、起動制御信号をＥ／Ｏ変換部に出力して光信号ケーブル３０を介して他方の機器へ送信する送信起動命令処理と、送信される起動制御信号に応じて起動を行う受信起動制御処理との２つの処理を行う起動制御プログラムが、それぞれの起動制御部１４４、２４４に組み込まれている。また、本実施形態では、モニタ機器２０の起動制御部２４４が送信起動命令処理を行い、ソース機器１０の起動制御部１４４が受信起動制御処理を行う起動処理工程を示した。しかし、このような起動処理工程に限らず、ソース機器１０の起動制御部１４４が送信起動命令処理を行い、モニタ機器２０の起動制御部２４４が受信起動制御処理を行うように、起動制御部の各処理ブロックを構成して、プログラムを設定するようにしてもよい。また、起動制御部１４４、２４４が、送信機道命令処理及び受信起動制御処理の両方を行うように、起動制御部における各処理ブロックを構成して、プログラムを設定するようにしても良い。
【０１４４】
さらに、本発明は上述した実施の形態である映像信号を光信号で伝送を行うものに限らず、光伝送ケーブルを介して起動制御を行うものであれば、映像信号以外の音声信号や情報データを光信号で伝送する伝送システムに適用するようにしてもよい。
【図面の簡単な説明】
【０１４５】
【図１】光伝送システムの構成を示した模式図である。
【図２】ＳＩＲＣＳ（Ｓｅｒｉａｌ  Ｉｎｆｒａｒｅｄ  Ｒｅｍｏｔｅ  Ｃｏｎｔｒｏｌ  Ｓｙｓｔｅｍ）信号規格の信号波形の一例を示した波形図である。
【図３】ソース機器の構成を示した模式図である。
【図４】ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号規格の信号波形の一例を示した波形図である。
【図５】モニタ機器の構成を示した模式図である。
【図６】光伝送システムにおける起動制御工程を示したフローチャートである。
【図７】モニタ機器の起動制御部の構成を示した模式図である。
【図８】ソース機器の起動制御部の構成を示した模式図である。
【図９】バッファ部のメモリ領域の構成を示した模式図である。
【図１０】バッファ部における起動制御データの入出力処理工程を示したフローチャートである。
【図１１】モニタ機器の起動制御部のＳＩＲＣＳ受信部における起動制御データの入出力処理工程を示したフローチャートである。
【図１２】モニタ機器の起動制御部のＵＡＲＴ送信部における起動制御データの入出力処理工程を示したフローチャートである。
【図１３】ソース機器の起動制御部のＵＡＲＴ受信部における起動制御データの入出力処理工程を示したフローチャートである。
【図１４】ソース機器の起動制御部のＳＩＲＣＳ送信部における起動制御データの入出力処理工程を示したフローチャートである。
【図１５】ＳＩＲＣＳ信号規格とＵＡＲＴ信号規格の信号波形とを比較した波形図である。
【図１６】ビットデータ間にスペースを挿入したＵＡＲＴ信号規格の伝送信号を示した波形図である。
【図１７】映像信号が電気信号によって伝送される伝送システムの構成を示した模式図である。
【符号の説明】
【０１４６】
１  光伝送システム、１０  ソース機器、１１  ソース本体部、２０  モニタ機器、２１  モニタ本体部、１２、２２  映像信号Ｉ／Ｆ、１３、２３  制御信号Ｉ／Ｆ、１４  ソース伝送処理部、２４  モニタ伝送処理部、１４１、２４１  電気信号処理部、１４２、２４２  Ｅ／Ｏ変換部、１４３、２４３  Ｏ／Ｅ変換部、１４４、２４４  起動制御部、３０  光信号ケーブル、４０  赤外線リモートコントローラ
【図１】
2007174239.tif 000003
【図２】
2007174239.tif 000004
【図３】
2007174239.tif 000005
【図４】
2007174239.tif 000006
【図５】
2007174239.tif 000007
【図６】
2007174239.tif 000008
【図７】
2007174239.tif 000009
【図８】
2007174239.tif 000010
【図９】
2007174239.tif 000011
【図１０】
2007174239.tif 000012
【図１１】
2007174239.tif 000013
【図１２】
2007174239.tif 000014
【図１３】
2007174239.tif 000015
【図１４】
2007174239.tif 000016
【図１５】
2007174239.tif 000017
【図１６】
2007174239.tif 000018
【図１７】
2007174239.tif 000019